(57)【要約】【課題】関連する動画ファイルに容易に付加情報を記録可能とする。【解決手段】第１の記録媒体に記録されている動画ファイルに対して付加情報を記録する情報記録装置であって、付加情報を記録するファイルを選択するための第１のファイル選択手段と、前記第１のファイル選択手段によって選択された第１のファイルに対して第１の付加情報を記録する付加情報記録手段と、前記第１のファイル選択手段によって選択した第１のファイルと同じシーンとして記録された第２のファイルを選択する第２のファイル選択手段を有し、前記第１の付加情報に基づく第２の付加情報を前記第２のファイルに対して記録する。【選択図】  図１
2016015659.tif 000002
【特許請求の範囲】
【請求項１】
第１の記録媒体に記録されている動画ファイルに対して付加情報を記録する情報記録装置であって、
付加情報を記録するファイルを選択するための第１のファイル選択手段と、
前記第１のファイル選択手段によって選択された第１のファイルに対して第１の付加情報を記録する付加情報記録手段と、
前記第１のファイル選択手段によって選択した第１のファイルと同じシーンとして記録された第２のファイルを選択する第２のファイル選択手段を有し、
前記第１の付加情報に基づく第２の付加情報を前記第２のファイルに対して記録することを特徴とする記録装置。
【請求項２】
前記動画ファイルは、撮影タイミングを特定可能な情報を記録する領域を有することを特徴とする請求項１に記載の記録装置。
【請求項３】
前記記録媒体上には、前記記録媒体に記録されている動画ファイルを管理するための管理ファイルが記録され、前記管理ファイルには前記動画ファイルの撮影タイミングを特定可能な情報が記録されていることを特徴とする請求項１に記載の記録装置。
【請求項４】
前記撮影タイミングを特定可能な情報は、撮影シーンを識別可能なシーン識別データであり、前記第２のファイル選択手段は、前記第１の記録媒体から、前記第１のファイルと同一のシーン識別データを有するファイルを選択することを特徴とする請求項２又は請求項３に記載の記録装置。
【請求項５】
前記第２のファイルは、他の記録装置により、前記第１の記録媒体とは異なる第２の記録媒体に記録されており、
前記他の記録装置に対して、前記第１のファイルに関する情報と、前記記録した第１の付加情報に関する情報を送信する手段を有することを特徴とする請求項１に記載の記録装置。
【請求項６】
前記動画ファイルは、撮影タイミングを特定可能な情報を記録する領域を有し、前記第１のファイルに関する情報は、前記第１のファイルに記録されている前記撮影タイミングを特定可能な情報であることを特徴とする請求項５に記載の記録装置。
【請求項７】
前記第１の記録媒体上には、前記記録媒体に記録されている動画ファイルの撮影タイミングを特定可能な情報が前記動画ファイルとは異なる管理ファイルに記録されており、前記第１のファイルに関する情報は、前記管理ファイル内に記録されている前記第１のファイルの撮影タイミングを特定可能な情報であることを特徴とする請求項５に記載の記録装置。
【請求項８】
前記撮影タイミングを特定可能な情報は、撮影日時であることを特徴とする請求項６又は請求項７に記載の記録装置。
【請求項９】
前記撮影タイミングを特定可能な情報は、タイムコードであることを特徴とする請求項６又は請求項７に記載の記録装置。
【請求項１０】
前記撮影タイミングを特定可能な情報は、記録されている動画の長さであることを特徴とする請求項６又は請求項７に記載の記録装置。
【請求項１１】
前記撮影タイミングを特定可能な情報は、撮影シーンを識別可能なシーン識別データであることを特徴とする請求項６又は請求項７に記載の記録装置。
【発明の詳細な説明】
【技術分野】
【０００１】
本発明は、記録装置に関する。
【背景技術】
【０００２】
ドラマや映画などの撮影時に、複数のビデオカメラを使用したマルチカメラ撮影が行われている。同じシーンを複数のカメラで別アングルから撮影して、編集時には同時撮影された動画データを用いて、アングルを切り替えながら最終的なシーン動画を作成していく。同時に録画された動画を識別可能とするため、業務用ビデオカメラには撮影時に記録するタイムコードを複数のカメラで同期させる機能が備わっている。
【０００３】
また、近年ビデオカメラの記録媒体が従来の磁気テープから、磁気ディスクやフラッシュメモリーを使用するファイルベースの記録媒体に変わってきており、ファイルベースのビデオカメラでは動画ファイルに撮影シーン番号、カット番号、テイク番号などをメタデータとして記録することが可能となっている。また各動画ファイルに対して、撮影内容のステータスとしてＯＫ／ＮＧ／ＫＥＥＰ等のマーク情報を記録して検索性を高めたり、ファイル中の特定範囲を指定するＩｎ点（範囲の先頭位置を示す）、Ｏｕｔ点（範囲の末尾位置を示す）を設定して、編集時の操作性を高めることも可能となっている。
【０００４】
特許文献１では、タイムコード入力端子を有し、外部の制御装置から入力されたタイムコードに同期した値を記録する技術が開示されている。また、特許文献２では、撮影したビデオ映像にシーン番号、カット番号、テイク番号のデータや撮影内容がＯＫであることを示すＯＫマーク、撮影内容が失敗であることを示すＮＧマーク、撮影内容がＯＫか失敗なのか判断を保留するＫＥＥＰマーク等のステータスデータを関連付けて記録するための技術が開示されている。
【先行技術文献】
【特許文献】
【０００５】
【特許文献１】特開平０９−１８６９５９号公報
【特許文献２】特開２００６−０８１１９９号公報
【発明の概要】
【発明が解決しようとする課題】
【０００６】
撮影された動画ファイルに対してＯＫマークを記録した場合に、前記動画ファイルと同一シーン番号、カット番号を有し、テイク番号が異なる動画ファイルに対してＮＧ／ＫＥＥＰマークを記録するためには各動画ファイルを個別に選択してマークを記録する必要がある。また撮影現場などで、あるビデオカメラで撮影された内容を確認してＯＫ／ＮＧ／ＫＥＥＰのマークを記録した場合、別アングルで同時撮影した動画ファイルに対して同様のマークを記録したい場合は、別アングルで撮影したビデオカメラで該当のファイルを探し出してマークを記録する必要がある。このため、特に記録メディア上に大量の動画ファイルがある場合に動画ファイル選択およびマーク記録処理の操作が煩雑になるという問題があった。
【０００７】
本発明は、同じシーンとして記録した複数の動画に対して、簡単に共通の付加情報を記録することが可能な装置を提供することを目的とする。
【課題を解決するための手段】
【０００８】
本発明の構成は、第１の記録媒体に記録されている動画ファイルに対して付加情報を記録する情報記録装置であって、付加情報を記録するファイルを選択するための第１のファイル選択手段と、前記第１のファイル選択手段によって選択された第１のファイルに対して第１の付加情報を記録する付加情報記録手段と、前記第１のファイル選択手段によって選択した第１のファイルと同じシーンとして記録された第２のファイルを選択する第２のファイル選択手段を有し、前記第１の付加情報に基づく第２の付加情報を前記第２のファイルに対して記録することを特徴とする。
【発明の効果】
【０００９】
本発明によれば、単一の動画ファイルを選択して付加情報を記録することで、前記動画ファイルに関連する動画ファイルに自動的に付加情報を記録するシステムを提供することができる。
【図面の簡単な説明】
【００１０】
【図１】記録装置の構成を示すブロック図である。
【図２】記録装置の動作を示すフローチャートである。
【図３】記録装置の接続図である。
【図４】記録装置の動作を示すフローチャートである。
【図５】記録装置の動作を示すフローチャートである。
【図６】記録されているファイルの情報を示す図である。
【発明を実施するための形態】
【００１１】
以下、本発明を実施するための形態を図面に基づいて説明する。
【実施例１】
【００１２】
以下、添付図面に従って本発明にかかる実施形態を詳細に説明する。図１は本実施例１による記録装置のブロック図である。情報記録装置はカメラ部を含み、前記カメラ部が出力する映像を記録可能な記録再生装置を構成する。１０１は記録再生装置を制御するための制御部である。１０２はユーザーが記録再生装置を操作するための操作部である。１０３はレンズ、ＣＭＯＳイメージセンサーなどから構成される映像を入力するためのカメラ部である。１０４は前記カメラ部が出力する映像、後述する記録媒体から再生した映像、ユーザー操作用のメニュー、各種情報等を表示するための表示部である。
【００１３】
１０５は前記カメラ部１０３が出力する映像信号を処理して記録媒体に記録するデータに符号化する符号化部である。１０６は外部機器からタイムコード信号を入力するためのタイムコード入力端子、１０７は外部機器にタイムコード信号を出力するためのタイムコード出力端子、１０８はタイムコードを生成するタイムコード生成部である。１０９は映像の付加情報として記録するメタデータを生成するためのメタデータ生成部である。１１０は前記符号化部１０５で符号化したデータと、前記メタデータ生成部１０９で生成したメタデータを多重化するデータ多重化部である。
【００１４】
１１１はファイルを記録するための記録媒体である。１１２は前記記録媒体１１１より読み出したファイルから映像データとメタデータを分離するデータ逆多重化部である。１１３は前記データ逆多重化部１１２で分離した映像データの復号及び復号したデータに各種処理を行って映像信号を生成する復号画像処理部である。１１４は前記データ逆多重化部１１２で分離したメタデータを解析するメタデータ解析部である。１１５は外部機器と通信を行うための通信部であり、１１６は外部機器と接続するための外部機器接続端子である。
【００１５】
まず本実施例における記録再生装置における記録動作について説明する。記録再生装置は映像をファイルとして記録媒体に記録するための撮影モードと、記録媒体に記録されたファイルを再生するための再生モードを有する。ユーザーが操作部１０２で前記撮影モードを選択すると、カメラ部１０３はレンズから入力された映像を光電変換してデジタル映像信号として出力する。
【００１６】
表示部１０４は前記デジタル映像信号をモニター映像として表示する。記録再生装置が撮影モードに設定されている場合、制御部１０１はタイムコード生成部１０８を制御して、タイムコードのデータを生成する。前記タイムコード生成部１０８は、タイムコード入力端子１０６の状態を判別し、外部機器からタイムコードデータが入力されている場合は、前記入力されているタイムコードデータに同期したタイムコード値を生成し、入力されていない場合は内部のタイムコードジェネレーターによってタイムコード値を生成する。また、タイムコード出力端子１０７からは前記生成したタイムコード値を出力する。
【００１７】
前記タイムコード入力端子１０６およびタイムコード出力端子１０７によって、マルチカメラ撮影におけるタイムコードの同期をとることができる。
【００１８】
メタデータ生成部１０９は撮影する映像のシーン番号、カット番号、テイク番号を保持するメモリーを有し、ユーザーは操作部１０２を操作して、前記シーン番号、カット番号、テイク番号を設定することができるように構成されている。
【００１９】
ユーザーが前記操作部１０２を操作して記録開始を指示した場合の動作について、図２（ａ）のフローチャートを用いて説明する。ステップＳ３０１で制御部１０１は記録媒体１１１上に動画ファイルを新規作成する。制御部１０１は内部にカレンダーおよび時計を有し、ステップＳ３０２で動画ファイルに記録する先頭フレームのタイムコードおよび、前記ファイルを作成した日時を取得する。
【００２０】
次にステップＳ３０３で、制御部１０１は前記メタデータ生成部１０９からシーン番号、カット番号、テイク番号のデータを取得してヘッダーデータ内に記録する。また前記ステップＳ３０２で取得したタイムコードをスタートタイムコードとして、日時データを撮影開始日時データとしてヘッダーデータ内に記録する。
【００２１】
ヘッダーデータの記録後、カメラ部１０３が出力する映像信号をフレーム単位で処理してファイルに記録する。前記カメラ部１０３が出力する映像信号は符号化部１０５に入力され、ＭＰＥＧ２、Ｈ．２６４等の所定のフォーマットのデータに符号化されてデータ多重化部１１０に入力される。制御部１０１はステップＳ３０４で、前記データ多重化部１１０に入力された映像に対するタイムコードを前記タイムコード生成部１０８から、現在の日時データを内部の時計から取得する。ステップＳ３０５では前記取得したタイムコードおよび日時データをデータ多重化部１１０に入力することで、前記符号化部１０５から入力されたデータ、前記制御部１０１から入力されたタイムコードデータ、日時データはフレーム単位で多重化される。
【００２２】
ステップＳ３０６では前記多重化されたフレームデータを前記作成したファイルに記録する。ステップＳ３０７ではユーザーが前記操作部１０２を操作して記録停止を指示したか否かを判定し、記録停止の指示が行われていない場合はステップＳ３０４に戻って、次のフレームに対する処理を行う。記録停止の指示が行われている場合は、ステップＳ３０８で制御部１０１は前記作成した動画ファイルに記録された動画の長さ等のメタデータを記録した後に前記ファイルをクローズし、ステップＳ３０９で前記記録媒体上の動画ファイルを管理するための管理ファイルを更新して記録処理を終了する。
【００２３】
次にユーザーが前記操作部１０２を操作して記録済みの動画ファイルにマークを設定する動作について、図２（ｂ）のフローチャートを用いて説明する。
【００２４】
ユーザーが記録再生装置の操作部１０２で前記再生モードを選択すると、前記記録再生装置はまず再生やマーク設定を行う操作対象ファイルをユーザーが選択するための、動画一覧画面を作成する。ステップＳ４０１で制御部１０１は前記管理ファイルを読み込み、ステップＳ４０２で操作対象ファイルを、ステップＳ４０３で動画一覧画面に表示する先頭ファイルを決定する。図６（ａ）は前記記録再生装置の記録媒体に記録されている動画ファイルの例を示す表である。
【００２５】
図６（ａ）のＩＤ番号およびファイル名の情報は、前記記録再生装置が有する記録媒体１１１上の管理ファイルに記録されており、前記記録媒体１１１に記録された順番でＩＤ番号が割り当てられて管理されている。シーン番号、カット番号、テイク番号、撮影開始日時、スタートタイムコード、動画の長さの情報は、各動画ファイルのヘッダーデータ内に記録されているものとする。スタートタイムコードおよび動画の長さにおいて「：」で区切られた各フィールドは、先頭からそれぞれ「時」、「分」、「秒」、「フレーム」を意味する。本例では９の動画ファイルが記録されており、動画一覧画面には６個のファイルを表示するものとする。
【００２６】
ステップＳ４０２では記録されている動画ファイルから、６番目に新しいファイルＡＡＡＡ０００４を操作対象ファイルとして決定し、ステップＳ４０３では前記ＡＡＡＡ０００４を動画一覧の先頭ファイルとして決定する。ステップＳ４０４では前記ステップＳ４０３で選択した動画一覧の先頭ファイルであるＡＡＡＡ０００４を読み込み、データ逆多重化部１１２で画像データを分離し、前記分離した画像データを復号画像処理部１１３で復号および縮小処理を行って、表示部１０４にサムネイル画像として表示する。ＡＡＡＡ０００４の処理後、順次ＡＡＡＡ０００５、ＡＡＡＡ０００６、ＡＡＡＡ０００７、ＡＡＡＡ０００８、ＡＡＡＡ０００９の処理を行い、６個のファイルのサムネイルを動画一覧画面に表示する。前記表示終了後、ステップＳ４０５ではステップＳ４０２で決定したＡＡＡＡ０００４を操作対象ファイルとして前記動画一覧画面上で選択する。
【００２７】
ステップＳ４０６ではユーザーが前記操作部１０２を用いて操作対象ファイルの再生を指示したか否かを判定する。再生指示が行われている場合、ステップＳ４０７では前記ステップＳ４０５で選択されている操作対象の動画ファイル再生処理を行い、再生終了後にステップＳ４０６に戻る。ステップＳ４０６において再生指示が行われていない場合、ステップＳ４０８ではユーザーが前記操作部１０２を用いて操作対象ファイルに対するマーク設定を指示したか否かを判定する。
【００２８】
マーク設定が指示されていない場合、ステップＳ４０９でユーザーが操作部１０２を用いて操作対象ファイルの選択を変更したか否かを判定する。選択が変更されている場合、ステップＳ４１０では選択される操作対象ファイルがステップＳ４０４で作成した動画一覧画面内に含まれるか否かを判定する。動画一覧画面内に含まれる場合、ステップＳ４０５で、新たに選択されたファイルを前記動画一覧画面で選択する。動画一覧画面内に含まれない場合、例えばＡＡＡＡ０００４が選択されている状態で、ユーザーが一つ前の動画ファイルであるＡＡＡＡ０００３の選択を指示する操作を行った場合、ステップＳ４０３では動画一覧画面に表示されている先頭ファイルであるＡＡＡＡ０００４よりも６番目に古いファイルを動画一覧画面の先頭ファイルとして決定する。
【００２９】
本実施例の図６（ａ）の場合、ＡＡＡＡ０００４よりも古い動画ファイルは３個しかないため、最も古いファイルであるＡＡＡＡ０００１を先頭ファイルとして決定し、ステップＳ４０４では前述のようにＡＡＡＡ０００１から順次６個のファイルのサムネイルを動画一覧画面に表示する。ステップＳ４０５では選択されたＡＡＡＡ０００３を前記動画一覧画面で選択する。
【００３０】
ステップＳ４０８で、ユーザーがマーク設定を指示した場合、前記記録再生装置は選択されている動画ファイルに対して指定されたマークを関連付けて記録する。ステップＳ４１１では前記操作対象ファイルをオープンし、ステップＳ４１２でヘッダーデータからメタデータを読み込んで、シーン番号、カット番号、テイク番号、撮影開始日時、スタートタイムコード、動画の長さ情報を取得する。ステップＳ４１３では前記操作対象ファイルのヘッダーデータ内にメタデータとしてマーク情報を記録し、ステップＳ４１４で前記操作対象ファイルをクローズしてマーク記録設定を終了する。
【００３１】
ステップＳ４１５では設定したマークがＯＫマークか否かを判定する。前記マークがＯＫマークでない場合はステップＳ４０６に戻る。前記マークがＯＫマークであった場合、操作対象ファイルに記録されているシーン、カットの内容がＯＫであるため、その他の同一シーン、カットの他のテイクはＮＧまたはＫＥＥＰのテイクであるとみなすことが出来る。そのため、同一シーン、カットの他のテイクで記録された動画ファイルに対してステップＳ４１６以降で自動的にＮＧマークまたはＫＥＥＰマークの設定処理を行う。本実施例では、ユーザーが記録再生装置で図６（ａ）のＡＡＡＡ０００８を選択してＯＫマークの設定を行った場合について説明する。また、他の動画ファイルにはマークが設定されていないものとして説明する。
【００３２】
ステップＳ４１６では記録媒体１１１上の管理ファイルをオープンし、ステップＳ４１７で内部変数Ｎを１に初期化する。次にステップＳ４１８では、管理ファイルに記録されている全ての動画ファイルの処理が終了したか否かを判定する。内部変数Ｎの値が管理ファイルに記録されている最大のＩＤ番号よりも大きい場合は、全ての動画ファイルの処理が終了しているため、ステップＳ４１９に進み、管理ファイルをクローズしてステップＳ４０６に戻る。
【００３３】
未処理のファイルがある場合はステップＳ４２０でＩＤ番号がＮである動画ファイル（動画ファイル［Ｎ］）をオープンして、ステップＳ４２１で動画ファイルのメタデータを読み込む。ステップＳ４２２では、動画ファイル［Ｎ］に記録されているシーン番号、カット番号が前記ＯＫマークを設定した操作対象ファイルのシーン番号、カット番号と同一であるか否かを判定する。異なっている場合は、操作対象ファイルとは異なるシーン、カットを撮影したファイルであるため、マーク情報を記録せずにステップＳ４２７に進む。本実施例では、Ｎ＝１〜６の場合は前記ＯＫマークを設定した動画ファイルＡＡＡＡ０００８のシーン番号、カット番号と一致しないためステップＳ４２７に進む。
【００３４】
シーン、カット番号が同一であった場合、ステップＳ４２３で動画ファイル［Ｎ］のメタデータに既にマーク情報が設定されているか否かを判定する。Ｎ＝８の場合、処理中の動画ファイル［Ｎ］はＯＫマークを設定した動画ファイルＡＡＡＡ０００８であり、既にマーク情報設定済みであるため、マーク情報を変更せずにステップＳ４２７に進む。マーク情報が設定されていない場合、ステップＳ４２４で動画ファイル［Ｎ］のテイク番号が操作対象ファイルのテイク番号よりも小さいか大きいかを比較する。
【００３５】
Ｎ＝７（ＡＡＡＡ０００７）の場合、前記動画ファイル［Ｎ］のテイク番号は１であり、１ＯＫマークを設定したファイルのテイク番号２よりも小さい。この場合、前記動画ファイル［Ｎ］の方がＯＫマークを設定した動画ファイルよりも先に撮影されており、撮影内容に問題があったため撮りなおしが行われたとみなすことができる。よってステップＳ４２５で前記動画ファイル［Ｎ］のヘッダデータにメタデータとしてＮＧマークを記録する。Ｎ＝９（ＡＡＡＡ０００９）の場合、動画ファイル［Ｎ］のテイク番号は３であり、前記ＯＫマークを設定したファイルのテイク番号２よりも大きい。この場合、前記動画ファイル［Ｎ］の方がＯＫマークを設定した動画ファイルよりも後に撮影されており、予備的な撮影内容であるとみなすことができる。よってステップＳ４２６で動画ファイル［Ｎ］のヘッダデータにメタデータとしてＫＥＥＰマークを記録する。
【００３６】
ステップＳ４２７では前記動画ファイル［Ｎ］をクローズし、ステップＳ４２８で内部変数Ｎに１を加えた後、ステップＳ４１８に戻って次の動画ファイルの処理を行う。前記管理ファイルが管理している全ての動画ファイルに対して処理が終了するとマーク設定の処理が完了する。
【００３７】
本例では、シーン番号、カット番号、テイク番号、撮影開始日時、スタートタイムコード、動画の長さの情報は、各動画ファイルのヘッダーデータ内に記録されているものとして説明したが、メタデータを管理ファイルに記録し、前記管理ファイルから読み出して処理する構成とすることも可能である。
【００３８】
以上、説明したように、本実施例による情報記録装置で動画ファイルに対してＯＫマークの設定処理をユーザーが行うと、ＯＫマークを設定した動画ファイルと同一シーン、カットの動画ファイルに対して自動的に関連するマークを設定することが可能となる。
【実施例２】
【００３９】
本実施例では、複数の記録再生装置がネットワークで接続された状態でのマーク設定処理について説明する。
【００４０】
図３は、２台の記録再生装置がネットワークに接続された状態を表した図である。２０はイーサネット（登録商標）のネットワーク、２１および２２は図１のブロック図で示す記録再生装置であり、それぞれ外部機器接続端子１１６を介してネットワーク２０に接続されている。本実施例では、記録再生装置２１を操作してマーク設定を行う例について図４のフローチャートを用いて説明する。図４のフローチャートは前記記録再生装置２１および２２に共通の再生モード時の動作を示したフローチャートである。図４中、図２（ｂ）と同一の符号を有するステップは前記実施例１で説明した動作と同一の処理を行うステップである。
【００４１】
本実施例では、記録再生装置２１が有する記録媒体１１１には図６（ａ）で示すファイルが、記録再生装置２２が有する記録媒体１１１には図６（ｂ）で示すファイルが記録されており、記録再生装置２１では図６（ａ）中のＡＡＡＡ０００８に対してＯＫマークを設定する例について説明する。
【００４２】
まず、記録再生装置２１における動作について説明する。ユーザーが記録再生装置２１の操作部１０２で前記再生モードを選択すると、前記実施例１で説明した動作と同様、ステップＳ４０１〜ステップＳ４０５までの処理を行って、動画一覧画面を表示する。
ステップＳ４０６およびＳ４０７では前記実施例１で説明した動作と同様、操作対象ファイルに対するユーザーの再生操作有無の判別および、再生処理を行う。
【００４３】
前記ステップＳ４０６において再生指示が行われていない場合、ステップＳ４０８ではユーザーが前記操作部１０２を用いて操作対象ファイルに対するマーク設定を指示したか否かを判定する。
【００４４】
マーク設定が指示されていない場合、ステップＳ５０１で外部機器接続端子１１６を介して、図３中のネットワーク２０に接続されている外部機器からメタデータを受信したか否かを判定する。メタデータを受信している場合はステップＳ４１６に進み、マーク設定処理を行う。メタデータを受信していない場合は、ステップＳ４０９以降でユーザーによる操作対象ファイルの選択有無に応じた処理を行ってステップＳ４０６に戻る。
【００４５】
ユーザーが前記記録再生装置２１の操作部１０２を用いて、図６（ａ）中のＡＡＡＡ０００８を選択した後にＯＫマークの設定を指示した場合、ステップＳ４１１〜Ｓ４１４では前記実施例１で説明した動作と同様、選択されているファイルに対してマークの設定処理を行う。
【００４６】
ステップＳ４１５では前記設定したマークがＯＫマークか否かを判定する。前記マークがＯＫマークでない場合はステップＳ４０６に戻る。前記マークがＯＫマークであった場合、ステップＳ５０２では、ステップＳ４１２で取得したシーン番号、カット番号、テイク番号、撮影開始日時、スタートタイムコード、動画の長さ情報およびマーク情報をパケット化して、通信部１１５に入力する。通信部１１５は前記入力されたパケットを、外部機器接続端子１１６を介して、図３中のネットワーク２０にブロードキャスト送信する。
【００４７】
前記メタデータを送信した後、ステップＳ４１６以降の処理を実行して、前記記録再生装置２１が有する記録媒体１１１に記録されている他のファイルに対して、マーク設定を行う。ステップＳ４１６〜Ｓ４２３は実施例１と同一であるので説明を省略する。ステップＳ５０３では前記ＯＫマークを設定したファイルと同一のシーン番号、カット番号を有する処理対象のファイルに対してテイク番号を比較し、テイク番号の大小に応じてステップＳ４２５、Ｓ４２６、Ｓ５０４でそれぞれ対応するマークを設定する。ステップＳ４２７以降の処理は実施例１と同一であるので省略する。
【００４８】
マークを設定した記録再生装置２１での処理においては、処理対象のファイルが前記マークを設定したファイルと同一のファイルである場合、ステップＳ４２３によってマーク設定済みであると判別されるため、ステップＳ５０３ではテイク番号が小、または大の２通りのケースとなる。そのため、ステップＳ４１６以降の処理結果は、記録再生装置２１においては実施例１で説明した動作と同一となる。
【００４９】
次に、記録再生装置２２における動作について説明する。ユーザーが記録再生装置２２の操作部１０２で前記再生モードを選択すると、前記記録再生装置２１の再生動作で説明した処理と同様、ステップＳ４０１〜ステップＳ４０５までの処理を行って、動画一覧画面を表示する。
【００５０】
ステップＳ４０６ではユーザーが前記ステップＳ４０５で選択された動画ファイルの再生を指示したか否かを判定し。再生指示が行われていない場合、ステップＳ４０８ではユーザーが前記操作部１０２を用いて操作対象ファイルに対するマーク設定を指示したか否かを判定する。マーク設定が指示されていない場合、ステップＳ５０１で外部機器接続端子１１６を介して、図３中のネットワーク２０に接続されている外部機器からメタデータを受信したか否かを判定する。
【００５１】
本実施例では、前記記録再生装置２１によってマーク設定が行われ、ブロードキャスト送信されたメタデータを受信するため、ステップＳ４１６に進み、マーク設定処理を行う。本実施例では、ユーザーが前記記録再生装置２１で図６（ａ）のＡＡＡＡ０００８を選択してＯＫマークを設定しているため、前記ＡＡＡＡ０００８のメタデータとして、シーン番号「３」、カット番号「１」、テイク番号「２」、撮影開始日時「２００９年１０月１１日  １１時３５分５０秒」、スタートタイムコード「０１：２０：５０：１２」、動画の長さ「００：０１：１８：００」を受信する。
【００５２】
ステップＳ４１６では記録媒体１１１上の前記管理ファイルをオープンし、ステップＳ４１７で内部変数Ｎを１に初期化する。次にステップＳ４１８では、管理ファイルに記録されている全ての動画ファイルの処理が終了したか否かを判定する。内部変数Ｎの値が管理ファイルに記録されている最大のＩＤ番号よりも大きい場合は、全ての動画ファイルの処理が終了しているため、ステップＳ４１９に進み、前記管理ファイルをクローズしてステップＳ４０６に戻る。
【００５３】
未処理のファイルがある場合はステップＳ４２０でＩＤ番号がＮである動画ファイル（動画ファイル［Ｎ］）をオープンして、ステップＳ４２１で前記動画ファイルのメタデータを読み込む。ステップＳ４２２では、前記動画ファイル［Ｎ］に記録されているシーン番号、カット番号が前記受信したメタデータのシーン番号、カット番号と同一であるか否かを判定する。異なっている場合は、前記記録再生装置２１でＯＫマークを設定したファイルとは異なるシーン、カットを撮影したファイルであるため、マーク情報を記録せずにステップＳ４２７に進む。本実施例では、Ｎ＝１〜６の場合は前記受信したメタデータのシーン番号、カット番号と一致しないためステップＳ４２７に進む。
【００５４】
シーン、カット番号が同一であった場合、ステップＳ４２３で前記動画ファイル［Ｎ］のメタデータに既にマーク情報が設定されているか否かを判定する。マーク情報が設定されていない場合、ステップＳ５０３で前記動画ファイル［Ｎ］のテイク番号と前記受信したメタデータのテイク番号を比較する。
【００５５】
Ｎ＝７（ＢＢＢＢ０００７）の場合、前記動画ファイル［Ｎ］のテイク番号は１であり、前記受信したメタデータのテイク番号２よりも小さい。この場合、前記動画ファイル［Ｎ］の方がＯＫマークを設定した動画ファイルよりも先に撮影されており、撮影内容に問題があったため撮りなおしが行われたとみなすことができる。よってステップＳ４２５で前記動画ファイル［Ｎ］のヘッダデータにメタデータとしてＮＧマークを記録する。
【００５６】
Ｎ＝８（ＢＢＢＢ０００８）の場合、前記動画ファイル［Ｎ］のテイク番号は２であり、前記受信したメタデータのテイク番号２と同一である。この場合、前記動画ファイル［Ｎ］は前記ＯＫマークを設定した動画ファイルＡＡＡＡ０００７と同じタイミングで撮影されており、撮影内容に問題ないとみなすことができる。よってステップＳ５０４で前記動画ファイル［Ｎ］のヘッダデータにメタデータとしてＯＫマークを記録する。
【００５７】
Ｎ＝９（ＢＢＢＢ０００９）の場合、前記動画ファイル［Ｎ］のテイク番号は３であり、前記受信したメタデータのテイク番号２よりも大きい。この場合、前記動画ファイル［Ｎ］の方がＯＫマークを設定した動画ファイルよりも後に撮影されており、予備的な撮影内容であるとみなすことができる。よってステップＳ４２６で前記動画ファイル［Ｎ］のヘッダデータにメタデータとしてＫＥＥＰマークを記録する。
【００５８】
ステップＳ４２７では前記動画ファイル［Ｎ］をクローズし、ステップＳ４２８で内部変数Ｎに１を加えた後、ステップＳ４１８に戻って次の動画ファイルの処理を行う。前記管理ファイルが管理している全ての動画ファイルに対して処理が終了するとマーク設定の処理が完了する。
【００５９】
本例では、シーン番号、カット番号、テイク番号、撮影開始日時、スタートタイムコード、動画の長さの情報は、各動画ファイルのヘッダーデータ内に記録されているものとして説明したが、前記メタデータを管理ファイルに記録し、前記管理ファイルから読み出して処理する構成とすることも可能である。
【００６０】
以上、説明したように、本実施例による情報記録装置で動画ファイルに対してＯＫマークの設定処理をユーザーが行うと、前記マークを設定した情報記録装置およびネットワークで接続された情報記録装置に記録されている、前記ＯＫマークを設定した動画ファイルと同一シーン、カットの動画ファイルに対して自動的に関連するマークを設定することが可能となる。
【実施例３】
【００６１】
本実施例では、複数の記録再生装置がネットワークで接続された状態でのマーク設定処理の第２の形態について説明する。ネットワークでの接続状態は実施例２で説明した図３の状態と同一である場合について説明する。本実施例では、記録再生装置２１が有する記録媒体１１１には図６（ａ）で示すファイルが、記録再生装置２２が有する記録媒体１１１には図６（ｃ）で示すファイルが記録されており、記録再生装置２１では図６（ａ）中のＡＡＡＡ０００８に対してＯＫマークを設定する例について説明する。図６（ｃ）で示すファイルは実施例２で説明した図６（ｂ）で示すファイルと同一の内容であるが、シーン番号、カット番号、テイク番号が記録されていないファイルである。
【００６２】
図５は本実施例における記録再生装置の動作を示すフローチャートの一部である。図５中のステップＳ４１６よりも前のステップは、実施例２で説明した図４のフローチャートのステップＳ４０１〜Ｓ５０２と同一であるため説明を省略する。また図５中、図４と同一の符号を有するステップは前記実施例１および実施例２で説明した動作と同一の処理を行うステップである。
【００６３】
ユーザーが前記記録再生装置２１の操作部１０２を用いて、図６（ａ）中のＡＡＡＡ０００８を選択した後にＯＫマークの設定を指示した場合、記録再生装置２１は前記ＡＡＡＡ０００８のメタデータとして、シーン番号「３」、カット番号「１」、テイク番号「２」、撮影開始日時「２００９年１０月１１日  １１時３５分５０秒」、スタートタイムコード「０１：２０：５０：１２」、動画の長さ「００：０１：１８：００」を送信し、記録再生装置２２は前記メタデータを受信する。
【００６４】
記録再生装置２２は、ステップＳ４１６では記録媒体１１１上の前記管理ファイルをオープンし、ステップＳ４１７で内部変数Ｎを１に初期化する。
【００６５】
ステップＳ４１８では、管理ファイルに記録されている全ての動画ファイルの処理が終了したか否かを判定する。内部変数Ｎの値が管理ファイルに記録されている最大のＩＤ番号よりも大きい場合は、全ての動画ファイルの処理が終了しているため、ステップＳ４１９に進み、前記管理ファイルをクローズしてステップＳ４０６に戻る。
【００６６】
未処理のファイルがある場合はステップＳ４２０でＩＤ番号がＮである動画ファイル（動画ファイル［Ｎ］）をオープンして、ステップＳ４２１で前記動画ファイルのメタデータを読み込む。
【００６７】
ステップＳ６０１では、前記受信したメタデータおよび前記ステップＳ４２１で読み込んだメタデータにシーン番号およびカット番号が存在するか否かを判定する。前記受信したメタデータおよび前記ステップＳ４２１で読み込んだメタデータ共にシーン番号およびカット番号が存在する場合は、実施例２と同様ステップＳ４２２以降の処理を行う。前記受信したメタデータおよび前記ステップＳ４２１で読み込んだメタデータの少なくとも一方にシーン番号、カット番号が存在しない場合、記録再生装置２１でマークを設定したファイルに関連するファイルをシーン番号およびカット番号で検出することができない。そのため、前記受信したメタデータの撮影開始日時、スタートタイムコード、動画の長さの情報を使用して検出を行う。
【００６８】
ステップＳ６０２では前記受信したメタデータおよび前記ステップＳ４２１で読み込んだメタデータの撮影開始日時および動画の長さから、撮影していた日時に重複する部分があるか否かを判定する。ステップＳ４０９で受信した動画ファイルＡＡＡＡ０００８の撮影開始日時は「２００９年１０月１１日  １１時３５分５０秒」、動画の長さは「００：０１：１８：００」である。すなわち、ＡＡＡＡ０００８は「２００９年１０月１１日  １１時３５分５０秒」から「２００９年１０月１１日  １１時３７分０８秒」の間に撮影されている。Ｎ＝１の場合、ステップＳ４２０でオープンした図６（ｃ）中のＢＢＢＢ０００１の撮影開始日時は「２００９年１０月１１日  １０時１５分１１秒」、動画の長さは「００：００：３７：１５」である。すなわち、ＢＢＢＢ０００１は「２００９年１０月１１日  １０時１５分１１秒」から「２００９年１０月１１日  １０時１５分４９秒」の間に撮影されている。前記ＡＡＡＡ０００８とＢＢＢＢ０００１の撮影日時には重複期間がないため、ステップＳ６０４に進む。
【００６９】
ステップＳ６０４では前記受信したメタデータおよび前記ステップＳ４２１で読み込んだメタデータのスタートタイムコードおよび動画の長さから、動画ファイルのタイムコードに重複する部分があるか否かを判定する。ステップＳ４０９で受信した動画ファイルＡＡＡＡ０００８のスタートタイムコードは「０１：２０：５０：１２」、動画の長さは「００：０１：１８：００」である。すなわち、ＡＡＡＡ０００８に記録されているタイムコードは「０１：２０：５０：１２」から「０１：２２：０８：１１」である。Ｎ＝１の場合、ステップＳ４２０でオープンした図６（ｃ）中のＢＢＢＢ０００１のスタートタイムコードは「００：００：１１：１５」、動画の長さは「００：００：３７：１５」である。すなわち、ＢＢＢＢ０００１に記録されているタイムコードは「００：００：１１：１５」から「００：００：４８：２９」である。前記ＡＡＡＡ０００８とＢＢＢＢ０００１のタイムコードには重複期間がないため、ステップＳ４２７に進む。
【００７０】
ステップＳ４２７ではＩＤ番号がＮの動画ファイルが受信したメタデータに対応するファイルではないため、Ｎに１を加えてステップＳ４１８に戻って次の動画ファイルの処理を行う。本例では、Ｎ＝７までは受信したメタデータに対応するファイルではないため、前記の処理を繰り返し、Ｎ＝８のＢＢＢＢ０００８の処理時にステップＳ６０２において撮影日時の重複期間を検出する。撮影日時の重複を検出した場合、ステップＳ６０３で前記ＢＢＢＢ０００８において前記重複している範囲を示すＩｎ点、Ｏｕｔ点情報として、それぞれ重複期間の先頭フレーム番号、末尾のフレーム番号を設定する。
【００７１】
前記Ｉｎ点、Ｏｕｔ点情報は、前記動画ファイル内にメタデータとして記録してもよいし、管理ファイルに記録してもよい。本例では、撮影日時の重複期間を検出するためステップＳ６０３の処理に進むが、ステップＳ６０２において撮影日時の重複期間を検出しなかった場合はステップＳ６０４でタイムコードの重複期間を検出する。タイムコードの重複を検出した場合、ステップＳ６０５で前記ＢＢＢＢ０００８において前記重複している範囲を示すＩｎ点、Ｏｕｔ点情報として、それぞれ重複期間の先頭フレーム番号、末尾のフレーム番号を設定する。ステップＳ６０３またはＳ６０５でＩｎ点、Ｏｕｔ点情報をメタデータとして記録した後、ステップＳ５０４で前記ＢＢＢ０００８にＯＫマークを記録して、ステップＳ４７２に進む。
【００７２】
前記説明した処理を行うことによって、本実施例による情報記録装置で動画ファイルに対してＯＫマークの設定処理をユーザーが行うと、ネットワークで接続された情報記録装置に記録されている、前記ＯＫマークを設定した動画ファイルと同一タイミングで撮影された動画ファイルに対して自動的に関連するマークおよび該当範囲の情報を設定することが可能となる。
【符号の説明】
【００７３】
１０１  制御部、１０２  操作部、１０３  カメラ部、１０４  表示部
【図１】
2016015659.tif 000003
【図２】
2016015659.tif 000004
【図３】
2016015659.tif 000005
【図４】
2016015659.tif 000006
【図５】
2016015659.tif 000007
【図６】
2016015659.tif 000008